(57)【要約】【課題】外部装置を用いることなく、簡易な操作でロックを解除することを可能とすること。【解決手段】携帯電話機であって、自装置の機能を制限する機能制限部と、複数の検知箇所において人体の接触を検知する検知部と、複数の検知箇所それぞれについて接触の有無を表すパターンを記憶するパターン記憶部と、検知部によって検知された複数の検知箇所における人体の接触の有無のパターンとパターン記憶部に記憶されているパターンとが、一致しない場合には機能制限部による制限を解除せず、一致した場合に機能制限部による制限を解除して携帯電話機の機能の実行を可能にする制限解除部と、を備える。【選択図】図２
2011044933.tif 000002
【特許請求の範囲】
【請求項１】
自装置の機能を制限する機能制限部と、
複数の検知箇所において人体の接触を検知する検知部と、
前記複数の検知箇所それぞれについて接触の有無を表すパターンを記憶するパターン記憶部と、
前記検知部によって検知された前記複数の検知箇所における人体の接触の有無のパターンと前記パターン記憶部に記憶されている前記パターンとが、一致しない場合には前記機能制限部による制限を解除せず、一致した場合に前記機能制限部による制限を解除して前記携帯電話機の機能の実行を可能にする制限解除部と、
を備える携帯電話機。
【請求項２】
複数の検知箇所において人体の接触を検知する検知部と、前記複数の検知箇所それぞれについて接触の有無を表すパターンを記憶するパターン記憶部と、を備える携帯電話機が、自装置の機能を制限する機能制限ステップと、
前記携帯電話機が、前記検知部によって前記複数の検知箇所それぞれにおいて人体の接触を検知する検知ステップと、
前記携帯電話機が、前記検知部によって検知された前記複数の検知箇所における人体の接触の有無のパターンと前記パターン記憶部に記憶されている前記パターンとが、一致しない場合には前記機能制限部による制限を解除せず、一致した場合に前記機能制限部による制限を解除して前記携帯電話機の機能の実行を可能にする制限解除ステップと、
を備える制限解除方法。
【発明の詳細な説明】
【技術分野】
【０００１】
本発明は、携帯電話機に設けられる機能制限の解除の技術に関する。
【背景技術】
【０００２】
近年、携帯電話機の高性能化に伴い、携帯電話機に記録される個人情報が膨大な量になると共に、電子マネー機能や銀行口座の操作機能などが搭載された携帯電話機も提供されている。そのため、携帯電話機が盗難された場合、個人情報の流出や電子マネーの不正使用や銀行口座の不正操作などの多大な被害を受けるおそれがある。したがって、携帯電話機のセキュリティを強化することが要請されている。
【０００３】
一般的に、携帯電話機のセキュリティを強化するために、携帯電話機の機能に制限（ロック）をかけることが行われている。ユーザーは、携帯電話機に設定されている複数桁の番号のパスワードを携帯電話機の番号入力ボタンを操作して入力することによってロックを解除し、携帯電話機の機能を実行させる。
【０００４】
また、携帯端末にタッチセンサーを設け、このタッチセンサーに人が触れたときにロック解除シーケンスを行い、タッチセンサーから手を放すと自動的にロックが掛かる技術も提案されている（特許文献１参照）。特許文献１に開示された技術では、パスワードをユーザーが入力する代わりに、ロック解除ＩＤを送信する外部装置がユーザーに装着される。そして、ロック解除シーケンスにおいて、携帯端末は外部装置からロック解除ＩＤを受信し、予め記憶されているロック解除ＩＤと比較しロック解除を行う。
【先行技術文献】
【特許文献】
【０００５】
【特許文献１】特開２００５−２６８９８３号公報
【発明の概要】
【発明が解決しようとする課題】
【０００６】
しかしながら、ユーザーが携帯電話機の番号入力ボタンを操作することによって複数桁のパスワードを入力する行為は、ユーザーにとって煩わしいものである。そのため、ユーザーはパスワードの入力が面倒であるが故に、携帯電話機の機能をこまめにロックしていないという問題があった。また、特許文献１に開示された技術の場合、ユーザーは外部装置を装着しておく必要があり、このような外部装置の装着もユーザーにとって煩わしいものであるという問題があった。
上記事情に鑑み、本発明は、外部装置を用いることなく、簡易な操作でロックを解除することが可能となる携帯電話機及び制限解除方法を提供することを目的としている。
【課題を解決するための手段】
【０００７】
本発明の一態様は、携帯電話機であって、自装置の機能を制限する機能制限部と、複数の検知箇所において人体の接触を検知する検知部と、前記複数の検知箇所それぞれについて接触の有無を表すパターンを記憶するパターン記憶部と、前記検知部によって検知された前記複数の検知箇所における人体の接触の有無のパターンと前記パターン記憶部に記憶されている前記パターンとが、一致しない場合には前記機能制限部による制限を解除せず、一致した場合に前記機能制限部による制限を解除して前記携帯電話機の機能の実行を可能にする制限解除部と、を備える。
【０００８】
本発明の一態様は、制限解除方法であって、複数の検知箇所において人体の接触を検知する検知部と、前記複数の検知箇所それぞれについて接触の有無を表すパターンを記憶するパターン記憶部と、を備える携帯電話機が、自装置の機能を制限する機能制限ステップと、前記携帯電話機が、前記検知部によって前記複数の検知箇所それぞれにおいて人体の接触を検知する検知ステップと、前記携帯電話機が、前記検知部によって検知された前記複数の検知箇所における人体の接触の有無のパターンと前記パターン記憶部に記憶されている前記パターンとが、一致しない場合には前記機能制限部による制限を解除せず、一致した場合に前記機能制限部による制限を解除して前記携帯電話機の機能の実行を可能にする制限解除ステップと、を備える。
【発明の効果】
【０００９】
本発明により、外部装置を用いることなく、簡易な操作で携帯電話機のロックを解除することが可能となる。
【図面の簡単な説明】
【００１０】
【図１】携帯電話機の外観を表す図である。
【図２】側面に設けられる入力部の概略を表す図である。
【図３】携帯電話機の内部の構成を表す図である。
【図４】携帯電話機の機能構成の概略を表す概略ブロック図である。
【図５】ロック条件情報登録部の動作を表すフローチャートである。
【図６】ロック解除部の動作を表すフローチャートである。
【発明を実施するための形態】
【００１１】
図１は、携帯電話機１の外観を表す図である。図１（Ａ）は携帯電話機１の表側の外観を表す。図１（Ｂ）は携帯電話機１の裏側の外観を表す。携帯電話機１の筐体は、表面１０、裏面２０、４つの側面からなる。側面とは、携帯電話機１の表面１０と裏面２０とをつなぐ細長い面であり、左方側面３０、右方側面４０、下方側面５０、上方側面６０からなる。
【００１２】
表面１０には、通話用スピーカー１１、マイク１２、表示部１３、操作部１４が設けられる。通話用スピーカー１１及びマイク１２は、携帯電話機１のユーザーが音声通話を行う際に使用される音声出力装置及び音声入力装置である。表示部１３は、液晶ディスプレイ装置や有機エレクトロルミネッセンス（Organic Electro Luminescence）ディスプレイ等の画像表示装置を用いて構成される。操作部１４は、携帯電話機１のユーザーが電話番号の入力や各種操作を行う際に使用される入力部であり、複数のボタン等の入力装置を用いて構成される。
【００１３】
裏面２０には、スピーカー２１が設けられる。スピーカー２１は、着信音の出力時のように、携帯電話機１を耳にかざすことなくユーザーに出力音が届くように音声を出力する際に使用される音声出力装置である。
【００１４】
図２は、携帯電話機１の側面に設けられる入力部（側面入力部１１０）の概略を表す図である。図示されるように、携帯電話機１の１つ又は複数の側面には、側面入力部１１０が設けられる。なお、図２では、側面入力部１１０は左方側面３０、右方側面４０、上方側面６０に設けられているが、側面入力部１２の設置位置は上記の例に限定される必要はない。
【００１５】
図３は、携帯電話機１の内部の構成を表す図である。携帯電話機１は、フレキシブルプリント基板（Flexible Printed Circuits：ＦＰＣ）１００、複数の検出電極１０１（１０１ａ〜１０１ｊ）、メインプリント基板２００を備える。側面入力部１１０は、フレキシブルプリント基板１００及び複数の検出電極１０１によって構成される。
【００１６】
フレキシブルプリント基板１００は、柔軟性があり大きく変形させることが可能なプリント基板である。検出電極１０１は、タッチセンサーの検出基板であり、フレキシブルプリント基板１００に配置される。フレキシブルプリント基板１００に配置される検出電極１０１の数は特に限定されない。各検出電極１０１から伸びる配線は、フレキシブルプリント基板１００上を通り、メインプリント基板２００に配置されたコネクタ２０１に接続される。なお、図３では、図面の都合により検出電極１０１ｇ〜１０１ｊのみについて配線を示しているが、実際には検出電極１０１ａ〜１０１ｆについても配線が存在し、各配線はコネクタ２０１に接続される。
【００１７】
メインプリント基板２００は、リジッドプリント基板やフレキシブルプリント基板などのプリント基板を用いて構成され、コネクタ２０１、制御回路２０２、ＣＰＵ２０３、メモリ２０４が配置される。
【００１８】
図４は、携帯電話機１の機能構成の概略を表す概略ブロック図である。携帯電話機１は、上述したように、複数の検出電極１０１ａ〜１０１ｊ、コネクタ２０１、制御回路２０２、ＣＰＵ２０３、メモリ２０４を備える。
【００１９】
制御回路２０２は、タッチセンサー制御回路である。制御回路２０２は、各検出電極１０１ａ〜１０１ｊにおける静電容量（コンデンサ容量）をそれぞれ測定し、静電容量の変化に基づいてユーザーの接触を検知する。例えば、制御回路２０２は、ある検出電極１０１の静電容量の変化量が閾値を超えると、その検出電極１０１が設けられた位置にユーザーが接触したと判定する。そして、制御回路２０２は、各検出電極１０１について接触の有無（オン・オフ）をＣＰＵ２０３に通知する。
【００２０】
ＣＰＵ（Central Processing Unit）２０３は、メモリ２０４に記憶されるロック制御プログラムを実行することによって、ロック設定部２１０、ロック条件情報登録部２１１、ロック解除部２１２として機能する。ロック設定部２１０は、携帯電話機１に実装されている機能にロックをかける。機能にロックをかけるという処理は、言い換えれば機能を制限する処理である。ロックされた機能は、ロック解除部２１２によってロックが解除されるまで実行されない。ロック条件情報登録部２１１及びロック解除部２１２の動作については後述する。
【００２１】
メモリ２０４は、半導体記憶装置や磁気記憶装置等の記憶装置を用いて構成され、ＣＰＵ２０３によって実行されるプログラムを記憶する。また、メモリ２０４は、ロック条件情報を記憶する。ロック条件情報については後述する。
【００２２】
図５は、ロック条件情報登録部２１１の動作を表すフローチャートである。まず、携帯電話機１のユーザーが操作部１４を操作することによってロック条件情報の登録の開始指示を入力すると、ロック条件情報登録部２１１はこの入力を受付ける（ステップＳ１０１）。この後、ロック条件情報登録部２１１は、ロック対象機能の指定の受付けを開始する。このとき、ロック条件情報登録部２１１は、「ロック対象機能を指定して下さい」という文字列のように、ユーザーに対してロック対象機能の指定を促すような表示を表示部１３に出力させても良い。
【００２３】
ユーザーは、操作部１４を操作することによって、ロック対象機能の指定を入力する。ロック対象機能とは、この後に入力されるロックパターンによってロック解除される機能であり、例えば通話機能、電子マネー機能、アドレス帳機能、ウェブ機能、メール機能などの１又は複数の機能である。携帯電話機１のユーザーが操作部１４を操作することによってロック対象機能の指定を入力すると、ロック条件情報登録部２１１はこの入力を受け付ける（ステップＳ１０２）。
【００２４】
次に、ロック条件情報登録部２１１は、ロックパターンの入力の受付を開始する。このとき、ロック条件情報登録部２１１は、「ロックパターンを入力して下さい」という文字列のように、ユーザーに対してロックパターンの入力を促すような表示を表示部１３に出力させても良い。
【００２５】
携帯電話機１のユーザーは、側面入力部１１０が設けられた側面のうち、１又は複数の任意の部分に触れることによって、ロックパターンを入力する。ロックパターンとは、各検出電極１０１における接触の有無のパターンを示す情報である。例えば、ユーザーが検出電極１０１ａ、１０１ｄ、１０１ｊ付近に触れ、他の検出電極１０１付近には触れなかった場合、検出電極１０１ａ、１０１ｄ、１０１ｊの３つがオン、検出電極１０１ｂ、１０１ｃ、１０１ｅ、１０１ｆ、１０１ｇ、１０１ｈ、１０１ｉの７つがオフであることを示すロックパターンが入力される。ロック条件情報登録部２１１は、制御回路２０２によって検知されたロックパターンを受け付ける（ステップＳ１０３）。
【００２６】
次に、ロック条件情報登録部２１１は、追加のロックパターンを設定するか否かの指示の受付を開始する。このとき、ロック条件情報登録部２１１は、「ロックパターンをさらに設定しますか？」という文字列のように、ユーザーに対して追加のロックパターンを設定するか否かの指示の入力を促すような表示を表示部１３に出力させても良い。携帯電話機１のユーザーは、操作部１４を操作することによって追加のロックパターンを設定するか否かの指示を入力する。
【００２７】
追加のロックパターンを設定する旨の指示が入力された場合（ステップＳ１０４−ＹＥＳ）、ロック条件情報登録部２１１は、ロックパターンの入力の受付を開始し、ステップＳ１０３の処理を実行する。一方、追加のロックパターンを設定しない旨の指示が入力された場合（ステップＳ１０４−ＮＯ）、ロック条件情報登録部２１１は、ロック条件情報をメモリ２０４に記憶させる（ステップＳ１０５）。ロック条件情報とは、ロック対象機能とロックパターンとを対応付けた情報である。このとき、ロックパターンが複数入力されている場合には、ロック条件情報登録部２１１は各ロックパターンを入力された順番とともにメモリ２０４に記憶させる。すなわち、ロックパターンが複数入力された場合、ロック条件情報は、ロック対象機能と、複数のロックパターンと、各ロックパターンの順番とを対応付けた情報となる。
【００２８】
図６は、ロック解除部２１２の動作を表すフローチャートである。まず、携帯電話機１のユーザーが操作部１４を操作することによって、ロックされている機能を選択する。ロック解除部２１２は、ユーザーによって選択された機能を、ロック解除対象機能として受け付ける（ステップＳ２０１）。
【００２９】
次に、ロック解除部２１２は、ロックパターンの入力の受付を開始する。このとき、ロック解除部２１２は、「選択された機能はロックされています。ロックを解除するためのロックパターンを入力して下さい」という文字列のように、ユーザーに対してロックパターンの入力を促すような表示を表示部１３に出力させても良い。携帯電話機１のユーザーは、側面入力部１１０が設けられた側面のうち、１又は複数の任意の部分に触れることによってロックパターンを入力する。ロック解除部２１２は、制御回路２０２を介して、ロックパターンの入力を受け付ける（ステップＳ２０２）。
【００３０】
次に、ロック解除部２１２は、メモリ２０４にアクセスしてロック条件情報を参照し、ユーザーによって選択されたロック解除対象機能に対応する次のロックパターンが設定されているか否か判定する（ステップＳ２０３）。次のロックパターンが設定されている場合（ステップＳ２０３）、ロック解除部２１２は、次のロックパターンの入力の受付を開始する。このとき、ロック解除部２１２は、「次のロックパターンを入力して下さい」という文字列のように、ユーザーに対して次のロックパターンの入力を促すような表示を表示部１３に出力させても良い。すなわち、ロック解除部２１２は、ユーザーによって選択されたロック解除対象機能に対応するロックパターンの数分のロックパターンがユーザーによって入力されるまで、ステップＳ２０２の処理を繰り返し実行する。
【００３１】
一方、次のロックパターンが設定されていない場合、すなわち、ロック条件情報として設定されているロックパターンと同じ数のロックパターンが入力された場合（ステップＳ２０３−ＮＯ）、ロック解除部２１２は、入力されたロックパターンとその順序が、メモリ２０４に記憶されているロック条件情報の内容と一致するか否か判定する（ステップＳ２０４）。
【００３２】
ロック条件情報と一致する場合（ステップＳ２０４−ＹＥＳ）、ロック解除部２１２は、ステップＳ２０１においてユーザーによって選択された機能のロックを解除し、当該機能の使用を許可する（ステップＳ２０５）。一方、ロック条件情報と一致しない場合（ステップＳ２０４−ＮＯ）、ロック解除部２１２は、ステップＳ２０１においてユーザーによって選択された機能のロックを解除せずに維持し、当該機能の使用を許可せず、表示部１３にエラーの表示を行う（ステップＳ２０６）。
【００３３】
以下、携帯電話機１の効果について説明する。暗証番号の桁数が増加するほどセキュリティが強化されるため、例えば正解率が１／１０００の暗証番号を用いるためには３桁の暗証番号を用いる必要があった。従来の携帯電話機のユーザーは、ロックを解除するためには暗証番号の桁数に応じた回数だけボタンを操作する必要があったため、３桁の暗証番号を用いる場合には３回のボタン操作が必要となり、ユーザーにとって非常に煩わしい操作となっていた。
【００３４】
これに対し、携帯電話機１では、ロックの解除が複数のタッチセンサーの検出電極１０１のオン・オフのパターンによって判定される。そのため、例えば図３のように検出電極が１０個設けられている場合には、考えられるパターンは１０２４個となり、１回の操作（１回の接触）で３桁の暗証番号と同程度のセキュリティのロックを解除することが可能となる。したがって、例えば検出電極を２０個にすれば、考えられるパターンは１００万以上となり、１回の操作で６桁の暗証番号と同程度のセキュリティのロックを解除することが可能となる。このように、携帯電話機１では、セキュリティの高いロックを提供するとともに、ロックの解除を簡易な操作で行うことが可能となる。また、タッチセンサーには人体の指や手のひらで接触すれば足りるため、特殊な外部装置をユーザーが装着する必要もない。
【００３５】
また、従来は、携帯電話機の多機能化や小型化に伴って外部機器へのインターフェースが多数設けられることによって、側面にさらなる入力装置を設けることは困難となっていた。しかしながら、携帯電話機１では、フレキシブルプリント基板１００にタッチセンサーの検出電極１０１を複数設けることによって側面入力部１１０を実装した。フレキシブルプリント基板は柔軟性が高く複雑な形状への加工が可能であり、タッチセンサーの検出電極はボタン等の可動部を必要としないため小さい面積に配置することが可能である。そのため、側面に外部機器へのインターフェースなどが設けられているとしても、余った部分に複数のタッチセンサーによる入力装置を設けることが可能となり、携帯電話機の小型化や、携帯電話機に搭載可能な入力装置の数を増やすことが可能となった。
【００３６】
＜変形例＞
ロック設定部２１０やロック登録部２１１やロック解除部２１２の機能は、ＡＳＩＣ（Application Specific Integrated Circuit）やＰＬＤ（Programmable Logic Device）等のハードウェアを用いて実現されても良い。
制御回路２０２は、上述したような静電容量方式ではなく、他の方式に基づいて各検出電極１０１付近にユーザーが接触したことを検出するように構成されても良い。
ロック対象機能として、機能のみならずファイルが指定されても良い。この場合、指定されたファイルの閲覧や複製という機能がロックされる。
【００３７】
以上、この発明の実施形態について図面を参照して詳述してきたが、具体的な構成はこの実施形態に限られるものではなく、この発明の要旨を逸脱しない範囲の設計等も含まれる。
【符号の説明】
【００３８】
１…携帯電話機，  １００…フレキシブルプリント基板，  １０１ａ〜１０１ｊ…検出電極，  １１０…側面入力部，  ２０１…コネクタ，  ２０２…制御回路，  ２０３…ＣＰＵ，  ２０４…メモリ，  ２１０…ロック設定部，  ２１１…ロック条件情報登録部，  ２１２…ロック解除部
【図１】
2011044933.tif 000003
【図２】
2011044933.tif 000004
【図３】
2011044933.tif 000005
【図４】
2011044933.tif 000006
【図５】
2011044933.tif 000007
【図６】
2011044933.tif 000008